(57)【要約】 【課題】  押さえ治具の着脱を簡単な作業で短時間で行えると共に安価なはんだ付けパレット装置を提供する。【解決手段】  複数のリード部品３をプリント基板２にはんだ付けするためのはんだ付けパレット装置１において、上記複数のリード部品３を上記プリント基板２に押し付ける複数のアーム部材６と、上記プリント基板２上に架け渡され上記複数のアーム部材６を支持する支持部材７とを備えた。【選択図】        図１
2005072441.tif 000002
【特許請求の範囲】
【請求項１】
複数のリード部品をプリント基板にはんだ付けするためのはんだ付けパレット装置において、上記複数のリード部品を上記プリント基板に押し付ける複数のアーム部材と、上記プリント基板上に架け渡され上記複数のアーム部材を支持する支持部材とを備えたことを特徴とするはんだ付けパレット装置。
【請求項２】
上記複数のアーム部材が、上記支持部材に対して移動自在に取り付けられた請求項１記載のはんだ付けパレット装置。
【請求項３】
上記アーム部材の先端に、上記リード部品を上記プリント基板側に付勢する付勢部材を設けた請求項１または２記載のはんだ付けパレット装置。
【請求項４】
上記アーム部材が、上記支持部材に回動自在に取り付けられた請求項１から３いずれかに記載のはんだ付けパレット装置。
【請求項５】
上記アーム部材が、伸縮自在に形成された請求項１から４いずれかに記載のはんだ付けパレット装置。
【請求項６】
上記アーム部材の先端に、上記リード部品を係合させる係合部材を設けた請求項１から５いずれかに記載のはんだ付けパレット装置。
【発明の詳細な説明】
【技術分野】
【０００１】
本発明は、複数のリード部品をプリント基板にはんだ付けするためのはんだ付けパレット装置に関するものである。
【背景技術】
【０００２】
図６及び図７に示すように、従来のはんだ付けパレット装置５１は、プリント基板５２を載置・固定するパレット５３を有している。パレット５３上には、はんだ付け時に、プリント基板５２上に配置された複数のリード部品５４を、個別に押さえる押さえ治具５５が複数設けられている。
【０００３】
押さえ治具５５は、リード部品５４の取付位置の側部のパレット５３上に立設される支柱部５６と、この支柱部５６からリード部品５４へと延出して上方から押圧する押さえ部５７とで構成されている。
【０００４】
上記構成のはんだ付けパレット装置５１では、上記押さえ治具５５によって、リード部品５４が浮き上がらないように押さえた状態で、はんだが溶融しているはんだ槽に静止浴させる浸漬はんだ付け法、または溶融したはんだを噴流させて吹き付けるフローはんだ付け法によりはんだ付けを行うようになっている。
【０００５】
【特許文献１】特開平６−２５２５４５号公報
【発明の開示】
【発明が解決しようとする課題】
【０００６】
はんだ付けパレット装置５１は、プリント基板５２を量産する際に用いられることが多く、プリント基板５２の交換が頻繁に行われる。そのため、プリント基板５２の交換の度に押さえ治具５５の着脱を頻繁に行う必要がある。
【０００７】
しかしながら、上述のはんだ付けパレット装置５１では、複数のリード部品５４毎に個別の押さえ治具５５を設けているため、プリント基板５２の交換の度に非常に多くの押さえ治具５５を着脱しなければならず、非常に多くの手間と時間を要するという問題があった。
【０００８】
また、複数の押さえ治具５５には、高さ調整用と水平位置調整用の関節部（図示せず）が、それぞれ設けられているので、リード部品５２の個数分、関節部を設けなければならず、その分、コストアップとなり、装置が高価になってしまっていた。
【０００９】
そこで本発明は、上記課題を解決すべく案出されたものであり、その目的は、押さえ治具の着脱を簡単な作業で短時間で行えると共に安価なはんだ付けパレット装置を提供することにある。
【課題を解決するための手段】
【００１０】
上記目的を達成するために、本発明は、複数のリード部品をプリント基板にはんだ付けするためのはんだ付けパレット装置において、上記複数のリード部品を上記プリント基板に押し付ける複数のアーム部材と、上記プリント基板上に架け渡され上記複数のアーム部材を支持する支持部材とを備えたものである。
【００１１】
そして、上記複数のアーム部材が、上記支持部材に対して移動自在に取り付けられたものが好ましい。
【００１２】
また、上記アーム部材の先端に、上記リード部品を上記プリント基板側に付勢する付勢部材を設けたものが好ましい。
【００１３】
さらに、上記アーム部材が、上記支持部材に回動自在に取り付けられたものが好ましい。
【００１４】
また、上記アーム部材が、伸縮自在に形成されたものが好ましい。
【００１５】
さらに、上記アーム部材の先端に、上記リード部品を係合させる係合部材を設けたものが好ましい。
【発明の効果】
【００１６】
本発明によれば、プリント基板を押さえる複数のアーム部材を、支持部材で一体的に支持しているので、その着脱をまとめて行うことができ、着脱作業の簡略化及び時間短縮が達成されるといった優れた効果を発揮する。また、高さ調整用と水平位置調整用の関節部の個数を低減することができるのでコストダウンが達成される。
【発明を実施するための最良の形態】
【００１７】
以下、本発明の好適な一実施形態を添付図面に基づいて詳述する。
【００１８】
図１及び図２に示すように、本実施の形態に係るはんだ付けパレット装置１は、プリント基板２にコネクタやスイッチ等の複数のリード部品（電子リード部品）３をフローはんだ付けやデップはんだ付けにて固定するのに用いるものである。はんだ付けパレット装置１は、プリント基板２を固定するための固定用穴４を備えたパレット５を有している。固定用穴４は、プリント基板２と同等の面積及び厚さに形成されている。
【００１９】
ところで、かかるはんだ付けパレット装置１は、複数のリード部品３をプリント基板２に押し付ける複数のアーム部材６と、プリント基板２上に架け渡され複数のアーム部材６を支持する支持部材７とを備えたことを特徴とする。これらアーム部材６と支持部材７とで押さえ治具１０が構成されている。
【００２０】
支持部材７は、門型に形成されており、プリント基板２の両側のパレット５上に立設する一対の脚部８と、この脚部８間に連結される水平部９とで構成されている。脚部８と水平部９との接合部分には、水平部９の高さを調整するための高さ調節機構（図示せず）が設けられている。水平部９には、その長手方向に沿って、アーム部材６が摺動自在に取り付けられている。
【００２１】
アーム部材６は、支持部材７の長手方向と直交する向きに延出しており、リード部品３の取付位置上方で下部に屈曲して形成されている。なお、リード部品３の取付位置が、支持部材７を挟んで両側に位置する場合は、一方のアーム部材６は、平面視直線状に形成されて、リード部品３の取付位置の側部の支持部材７に固定され、他方のアーム部材６’は平面視Ｌ字状に形成されて、リード部品３の取付位置からずれた位置の支持部材７に固定され、リード部品３の取付位置上方へ向かって屈曲している。
【００２２】
なお、アーム部材６の形状は、量産されるプリント基板２のリード部品３の取付位置に応じて予め形成されており、支持部材７に対して所望の位置に摺動させて、セットしておく。
【００２３】
アーム部材６の先端部には、リード部品３をプリント基板２側に付勢する付勢部材１１が設けられている。付勢部材１１は、リード部品３の上面に当接する当接部１２と、この当接部１２とアーム部材６の先端部間に介設された板バネ等のバネ部材（図示せず）とで構成されている。このバネ部材は、金属バネにて形成されており、当接部１２を下方に付勢するようになっている。なお、バネ部材は金属バネに限られるものではなく、ゴム材料、プラスチック材料或いはセラミック材料等の他の材質で構成されたものであってもよい。
【００２４】
アーム部材６の先端には、リード部品３を係合させる係合部材１８が設けられている。係合部材１８は、ネジ等の螺合部材にて構成され、この螺合部材をリード部品３に形成したネジ孔（図示せず）に螺合するようになっている。これによって、リード部品３をアーム部材６の先端に固定することができる。
【００２５】
なお、図中１４はＩＣ、１５はチップコンデンサ、１６はチップ抵抗、１７はリード部品３の取付位置の下方に形成されるくり抜き部をそれぞれ示す。
【００２６】
次に、上記構成のはんだ付けパレット装置１の作用を説明する。
【００２７】
上記構成によれば、プリント基板２を押さえる複数のアーム部材６を、支持部材７で一体的に支持しているので、押さえ治具１０を一体的に形成することができ、その着脱作業をまとめて行うことができる。これによって、プリント基板２の交換毎に行う着脱作業は、一回だけでよく、従来、リード部品５４と同等の個数分の回数行っていた押さえ治具５５の着脱作業と比較して、作業手間が大幅に削減される。従って、着脱作業の簡略化及び大幅な時間短縮が達成される。
【００２８】
また、アーム部材６を一つの支持部材７にそれぞれ摺動自在に取り付けるようにしたので、従来、個々の押さえ治具５５にそれぞれ設けられていた高さ調整用の関節部の個数を大幅に低減すると共に水平位置調整用の関節部をなくすことができ、はんだ付けパレット装置の簡素化が達成され、装置全体で大幅なコストダウンが達成される。
【００２９】
さらに、上記実施の形態では、アーム部材６の先端部に付勢部材１１を設けたので、リード部品３をプリント基板２に確実に押さえることができる。従って、はんだ付け時に、リード部品３が浮いた状態ではんだ付けされるのを確実に防止でき、リード部品３の浮きのない、精度が高いはんだ付けを行うことができる。また、付勢部材１１を設けたことによって、支持部材７をギリギリの高さまで低くする必要がないため、リード部品３に過剰な押し付け力がかかるのを防止でき、リード部品３の破損を防止できる。
【００３０】
図３は本発明に係るはんだ付けパレット装置の好適な第二の実施の形態を示した平面図である。
【００３１】
本実施の形態のはんだ付けパレット装置２１は、アーム部材２６と支持部材７とを十字状に交差させて形成したことを特徴とする。なお、その他の構成については図１のはんだ付けパレット装置１と同様であるので同じ符号を付して説明を省略する。
【００３２】
すなわち、リード部品３の取付位置が、支持部材７を挟んで両側にある場合には、支持部材７からアーム部材２６が両側の取付位置上方まで水平に延出して、その両端からリード部品３の取付位置まで下方にそれぞれ延出して形成されるようになっている。
【００３３】
これによって、アーム部材２６を兼用することができ、リード部品３の個数に対するアーム部材２６の個数を低減することができる。従って、装置の単純化及び低コスト化が達成される。
【００３４】
図４は本発明に係るはんだ付けパレット装置の好適な第三の実施の形態を示した平面図である。
【００３５】
本実施の形態のはんだ付けパレット装置３１は、アーム部材３６が支持部材７に回動自在に取り付けられたことを特徴とする。なお、その他の構成については図１のはんだ付けパレット装置１と同様であるので同じ符号を付して説明を省略する。
【００３６】
アーム部材３６は、支持部材７にその長手方向に摺動自在に取り付けられた摺動部材３２にピン３３を介して回動自在に設けられており、アーム部材３６がピン３３を中心に回動する。ピン３３は、例えばネジにて構成され、これを締め付けることによってアーム部材３６を所定の角度で固定するようになっている。これによって、リード部品３が支持部材７の逆側に取り付けられる場合でも、アーム部材３６を回動させることによって、その押さえ位置を調節することができ、リード部品３の取付位置の違うプリント基板２に対して、同じアーム部材６、３６及び支持部材７からなる押さえ治具３４を採用でき、その汎用性が高くなる。
【００３７】
なお、アーム部材３６先端の垂下部を回動自在に形成してもよい。
【００３８】
図５は本発明に係るはんだ付けパレット装置の好適な第四の実施の形態を示した平面図である。
【００３９】
本実施の形態のはんだ付けパレット装置４１は、アーム部材４６が伸縮自在に形成されたことを特徴とする。なお、その他の構成については図１のはんだ付けパレット装置１と同様であるので同じ符号を付して説明を省略する。
【００４０】
アーム部材４６は、二重構造に形成され、内部アーム４３とその外側を覆う外部アーム４４とで構成されている。内部アーム４３は外部アーム４４の内側に摺動自在に挿入されており、内部アーム４３を外部アーム４４から引き出すことによって、アーム部材４６が伸長し、内部アーム４３を外部アーム４４内に押し込むことによって、アーム部材４６が縮退する。これによって、リード部品３の取付位置が変わる場合でも、アーム部材４６を伸縮させることによって、その押さえ位置を調節することができ、リード部品３の取付位置の違うプリント基板２に対して、同じアーム部材６、４６及び支持部材７からなる押さえ治具４５を採用でき、その汎用性が高くなる。
【００４１】
図５の伸縮自在なアーム部材４６を、図４のように支持部材７に回動自在に取り付ければ、さらに汎用性が高くなる。
【図面の簡単な説明】
【００４２】
【図１】本発明に係るはんだ付けパレット装置の好適な第一の実施の形態を示した平面図である。
【図２】本発明に係るはんだ付けパレット装置の好適な第一の実施の形態を示した断面図である。
【図３】本発明に係るはんだ付けパレット装置の好適な第二の実施の形態を示した平面図である。
【図４】本発明に係るはんだ付けパレット装置の好適な第三の実施の形態を示した平面図である。
【図５】本発明に係るはんだ付けパレット装置の好適な第四の実施の形態を示した平面図である。
【図６】従来のはんだ付けパレット装置を示した平面図である。
【図７】従来のはんだ付けパレット装置を示した断面図である。
【符号の説明】
【００４３】
１  はんだ付けパレット装置
２  プリント基板
３  リード部品
６  アーム部材
７  支持部材
１１  付勢部材
１８  係合部材
２１  はんだ付けパレット装置
２６  アーム部材
３１  はんだ付けパレット装置
３６  アーム部材
４１  はんだ付けパレット装置
４６  アーム部材
【図１】
2005072441.tif 000003
【図２】
2005072441.tif 000004
【図３】
2005072441.tif 000005
【図４】
2005072441.tif 000006
【図５】
2005072441.tif 000007
【図６】
2005072441.tif 000008
【図７】
2005072441.tif 000009